(57)【要約】      （修正有）【課題】構造が簡単で、空気の浄化効率を向上する、空気清浄機を提供する。【解決手段】吸込み孔１４１および吹出し孔１５１が設けられた筐体と、浄化機構３０とを有する空気清浄機１００であって、浄化機構は、筐体内に設けられ、内部に進入した気体を案内し、互いに連通する吸気口３２１２および排気口３２１３を備えた導風部材３２と、吸気口と吸込み孔との間に設けられ、浄化機構に進入した空気を濾過するための濾過部材３１と、導風部材に設けられ、導風部材に進入した気体を吸気口から吸気して排気口から排出するための送風部材３３を備える。【選択図】図２
0003231070.tif 000002
【実用新案登録請求の範囲】
【請求項１】
筐体及び浄化機構を含む空気清浄機であって、
前記筐体には、吸込み孔および吹出し孔が設けられ、
前記浄化機構は、
前記筐体内に設けられ、内部に進入した気体を案内し、互いに連通する吸気口および排気口を備えた導風部材と、
前記吸気口と前記吸込み孔との間に設けられ、前記浄化機構に進入した空気を濾過する濾過部材と、
前記導風部材に設けられ、前記導風部材に進入した気体を前記吸気口から吸気して前記排気口から排出する送風部材と、を備えることを特徴とする空気清浄機。
【請求項２】
前記筐体は、ベース、後筐体、前筐体、前カバー及び上カバーを含み、前記ベースは前記上カバーに対向し、前記後筐体は前記前筐体に対向し、且つ、前記ベースと前記上カバーとをそれぞれ連結し、前記前カバーは、前記前筐体をカバーするように、前記前筐体の前記後筐体から離れる側に設けられ、前記前カバーには、前記吸込み孔が設けられ、前記上カバーには、前記吹出し孔が設けられていることを特徴とする請求項１に記載の空気清浄機。
【請求項３】
前記前筐体には、前記濾過部材が装着される濾過溝が設けられ、前記濾過溝の底壁には、前記吸込み孔と対向する貫通孔が設けられていることを特徴とする請求項２に記載の空気清浄機。
【請求項４】
前記濾過溝は、収容溝と吸込み溝を含み、前記収容溝は前記濾過溝における前記前カバーに近い側に設けられ、前記吸込み溝は、前記濾過溝における前記後筐体に近い側に設けられ、前記収容溝は前記濾過部材を装着するために用いられ、前記吸込み溝は前記濾過部材を通過した気体を集めて前記貫通孔を通過させることを特徴とする請求項３に記載の空気清浄機。
【請求項５】
前記濾過部材が前記収容溝に係止されるように、前記収容溝の開口は前記吸込み溝の開口よりも大きいことを特徴とする請求項４に記載の空気清浄機。
【請求項６】
前記濾過部材は、前記収容溝の前記前カバーに近い側に設けられ、毛髪、飛毛を濾過する第１濾網と、前記収容溝の前記後筐体に近い側に設けられた第２濾網と、を含み、前記第２濾網は複合型濾網であることを特徴とする請求項４に記載の空気清浄機。
【請求項７】
前記導風部材は、導風カバーと防護ネットを含み、前記導風カバーは渦巻き状の筐体であり、前記導風カバーにはお互いに連通する導風室、前記吸気口および前記排気口が設けられ、前記送風部材は、前記導風室内に設けられ、且つ前記吸気口と対向し、前記防護ネットは前記導風カバーの前記排気口に設けられていることを特徴とする請求項２に記載の空気清浄機。
【請求項８】
前記ベースには、位置決め孔が設けられ、前記導風カバーには、前記位置決め孔と協働して前記導風カバーを前記ベースに固定する位置決め柱が設けられていることを特徴とする請求項７に記載の空気清浄機。
【請求項９】
前記送風部材は、駆動体とファンを含み、前記ファンは枠体と複数のファンブレードを含み、前記枠体は前記導風室に回動可能に設けられ、複数の前記ファンブレードは前記枠体に周方向に沿って均等に設けられ、且つ、前記吸気口は前記枠体の内腔に対向し、前記駆動体は前記導風カバーに設けられ、前記枠体を駆動して周方向に回転させることを特徴とする請求項７に記載の空気清浄機。
【請求項１０】
前記筐体には、空気中の汚れを検知するセンサがさらに設けられていることを特徴とする請求項１に記載の空気清浄機。
【考案の詳細な説明】
【技術分野】
【０００１】
本考案は、空気清浄設備分野に関し、特に空気清浄機に関する。
【背景技術】
【０００２】
人々の生活水準が高まるにつれ、居住環境の空気質がますます重視されている。空気清浄機が室内の空気を良好な濾過清浄化し、空気質を高め、空気質問題による人体への損傷を回避し、幅広く使用されている。従来の空気清浄機は、体積およびパワー装置の出力制限により、室内空気の浄化効率が低い。
【考案の概要】
【０００３】
上記状況に鑑み、上記問題を解決する空気清浄機を提供する必要がある。
【０００４】
本考案の実施例は、吸込み孔および吹出し孔が設けられた筐体と、浄化機構とを有する空気清浄機を提供し、上記浄化機構は、前記筐体内に設けられ、内部に進入した気体を案内し、互いに連通する吸気口および排気口を備えた導風部材と、前記吸気口と前記吸込み孔との間に設けられ、前記浄化機構に進入した空気を濾過する濾過部材と、前記導風部材に設けられ、前記導風部材に進入した気体を前記吸気口から吸気して前記排気口から排出する送風部材と、を備える。
【０００５】
さらに、本考案のいくつかの態様において、前記筐体は、ベース、後筐体、前筐体、前カバー及び上カバーを含み、前記ベースは前記上カバーに対向し、前記後筐体は前記前筐体に対向し、且つ、前記ベースと前記上カバーとをそれぞれ連結し、前記前カバーは、前記前筐体をカバーするように、前記前筐体の前記後筐体から離れる側に設けられ、前記前カバーには、前記吸込み孔が設けられ、前記上カバーには、前記吹出し孔が設けられている。
【０００６】
さらに、本考案のいくつかの態様において、前記前筐体には、前記濾過部材が装着される濾過溝が設けられ、前記濾過溝の底壁には、前記吸込み孔と対向する貫通孔が設けられている。
【０００７】
さらに、本考案のいくつかの態様において、前記濾過溝は、収容溝と吸込み溝を含み、前記収容溝は前記濾過溝における前記前カバーに近い側に設けられ、前記吸込み溝は、前記濾過溝における前記後筐体に近い側に設けられ、前記収容溝は前記濾過部材を装着するために用いられ、前記吸込み溝は前記濾過部材を通過した気体を集めて前記貫通孔を通過させる。
【０００８】
さらに、本考案のいくつかの態様において、前記濾過部材が前記収容溝に係止されるように、前記収容溝の開口は前記吸込み溝の開口よりも大きい。
【０００９】
さらに、本考案のいくつかの態様において、前記濾過部材は、前記収容溝の前記前カバーに近い側に設けられ、毛髪、飛毛を濾過する第１濾網と、前記収容溝の前記後筐体に近い側に設けられた第２濾網と、を含み、前記第２濾網は複合型濾網である。
【００１０】
さらに、本考案のいくつかの態様において、前記導風部材は、導風カバーと防護ネットを含み、前記導風カバーは渦巻き状の筐体であり、前記導風カバーにはお互いに連通する導風室、前記吸気口および前記排気口が設けられ、前記送風部材は、前記導風室内に設けられ、且つ前記吸気口と対向し、前記防護ネットは前記導風カバーの前記排気口上に設けられている。
【００１１】
さらに、本考案のいくつかの態様において、前記ベースには、位置決め孔が設けられ、前記導風カバーには、前記位置決め孔と協働して前記導風カバーを前記ベースに固定する位置決め柱が設けられている。
【００１２】
さらに、本考案のいくつかの態様において、前記送風部材は、駆動体とファンを含む。前記ファンは枠体と複数のファンブレードを含み、前記枠体は前記導風室に回動可能に設けられ、複数の前記ファンブレードは前記枠体に周方向に沿って均等に設けられ、且つ、前記吸気口は前記枠体の内腔に対向し、前記駆動体は前記導風カバーに設けられ、前記枠体を駆動して周方向に回転させる。
【００１３】
さらに、本考案のいくつかの態様において、前記筐体には、空気中の汚れを検知するセンサがさらに設けられている。
【００１４】
上記の空気清浄機は、筐体に導風部材を設け、導風部材に送風部材を設け、導風部材の吸気口と筐体の吸込み孔との間に濾過部材を設け、濾過部材が浄化機構に入る空気を濾過消毒した後、送風部材が導風部材に入る濾過消毒後の気体を前記吸気口から吸気して排気口から排出することにより、空気の浄化を図り、導風部材の設置は、空気清浄機の中に入る空気のカイドを高め、構造が簡単で、浄化効率を向上する。
【図面の簡単な説明】
【００１５】
【図１】本考案の一実施例における空気清浄機の概略斜視図である。
【図２】図１に示す空気清浄機の部分分解斜視模式図である。
【図３】図２に示される空気清浄機の他の視野角の斜視図である。
【考案を実施するための形態】
【００１６】
以下、図面を参照しつつ、本考案をさらに説明する。以下、図面を参照して、本考案の実施例における技術的思想を以下に説明するが、ここで説明する実施例は、あらゆる実施例ではなく、本考案の一部の実施例のみである。
【００１７】
なお、ある構成要素が他の構成要素と「接続」することは、他の構成要素に直接接続するか、あるいは同時に別の構成要素が介在して設置される可能性がある。一方、ある構成要素が他の構成要素に「設けられる」ことは、他の構成要素に直接配置されるか、または同時に別の構成要素が設置される可能性がある。
【００１８】
なお、本文において用いられるすべての技術及び科学用語は、特に断らない限り、本考案の技術分野に属する当業者にとって一般に理解されるものと同義である。なお、本文において本考案において用いられる用語は、具体的な実施例を記述する目的のみであり、本考案を限定することは意図していない。本文で使用する用語「及び／又は」は、関連する項目を１つ又は複数含む任意の組み合わせと、全ての組み合わせを含む。
【００１９】
本考案の実施例は、吸込み孔および吹出し孔が設けられた筐体と、浄化機構とを有する空気清浄機を提供し、上記浄化機構は、前記筐体内に設けられ、内部に取り込んだ気体を案内し、互いに連通する吸気口および排気口を備えた導風部材と、前記吸気口と前記吸込み孔との間に設けられ、前記浄化機構に取り込まれた空気を濾過するための濾過部材と、前記導風部材に設けられ、前記導風部材に進入した気体を前記吸気口から吸気して前記排気口から排出するための送風部材を備える。
【００２０】
上記の空気清浄機は、筐体に導風部材を設け、導風部材に送風部材を設け、導風部材の吸気口と筐体の吸込み孔との間に濾過部材を設け、濾過部材が浄化機構に入る空気を濾過消毒した後、送風部材が導風部材に入る濾過消毒後の気体を前記吸気口から吸気して排気口から排出することにより、空気の浄化を図り、導風部材の設置は、空気清浄機の中に入る空気のカイドを高め、構造が簡単で、浄化効率を向上する。
【００２１】
以下、図面を参照して、本考案の実施例についてさらに説明する。
【００２２】
図１及び図２を同時に参照してください。本考案の一実施例は、空気清浄機１００を提供する。前記空気清浄機１００は、筐体１０と、制御ユニット２０と、浄化機構３０とを備える。前記制御ユニット２０及び浄化機構３０は、筐体１０に設けられている。前記浄化機構３０は、前記制御ユニット２０と接続されている。制御ユニット２０は、浄化機構３０の動作を制御する。前記浄化機構３０は、筐体１０に吸い込まれた空気を濾過浄化して浄化した空気を送出するものである。
【００２３】
具体的には、図３に示すように、前記筐体１０は、ベース１１と、後筐体１２と、前筐体１３と、前カバー１４と、上カバー１５と、を含む。前記ベース１１は、前記上カバー１５に対向している。前記後筐体１２は、前記前筐体１３に対向しており、それぞれ前記ベース１１と前記上カバー１５とを接続している。前記前カバー１４は、前記前筐体１３が前記後筐体１２から離れる側に設けられている。前記ベース１１、後筐体１２、前筐体１３、前カバー１４及び上カバー１５は、浄化機構３０を収容するための収容室を共に囲んでいる。
【００２４】
なお、本実施例において、前記制御ユニット２０は、オペレータが対応する操作を容易に行うように、前記上カバー１５に設けられているが、これに限らず、筐体１０の他の位置にも設けられていてもよい。
【００２５】
具体的には、制御ユニット２０はタッチパネルであってもよく、タッチパネルには、オペレータが操作するスイッチキー、風量調整キー、タイミングキー、モード選択キー等の各種調整制御キーが表示されてもよいし、操作に応じた図形や画像等の情報が表示されてもよい。また、前記制御ユニット２０は、外部環境の汚染指数、内部浄化機構３０の動作状況等を表示することができる。
【００２６】
浄化機構３０は、濾過部材３１、導風部材３２、および送風部材３３を備えている。濾過部材３１は、前記前筐体１３上に設けられている。導風部材３２は、前記後筐体１２と前記前筐体１３との間に設けられている。前記送風部材３３は、前記導風部材３２に設けられている。濾過部材３１は、浄化機構３０に進入した空気を濾過消毒する。導風部材３２は、内部に入った気体を導くものである。送風部材３３は、導風部材３２の一方の開口から導風部材３２に気体を吸い込んで導風部材３２の他方の開口から排出するためのものである。
【００２７】
前筐体１３には、濾過溝１３１が設けられている。この濾過溝１３１の底壁には、貫通孔１３１１が設けられている。前記濾過部材３１は、前記濾過溝１３１に装着されている。
【００２８】
具体的には、前記濾過溝１３１は、収容溝１３２と吸込み溝１３３とを備えている。前記収容溝１３２は、前記濾過溝１３１における前記前カバー１４側に設けられている。前記吸込み溝１３３は、前記濾過溝１３１における前記後筐体１２側に設けられている。前記収容溝１３２は、前記濾過部材３１を装着するためのものである。前記吸込み溝１３３は、前記濾過部材３１を通過した気体を集めて前記貫通孔１３１１を通過させる。前記収容溝１３２の開口は、前記濾過部材３１が前記収容溝１３２に係止されるように、前記吸込み溝１３３の開口よりも僅かに大きい。
【００２９】
一実施例では、前記収容溝１３２が開口する形状は略長方形であり、前記濾過部材３１の輪郭の形状はこれと略同一の長方形であるが、これに限らず、前記収容溝１３２の開口及び濾過部材３１の輪郭の形状は、正方形、円形、台形、三角形等であってもよい。
【００３０】
濾過部材３１は、第一濾網３１１及び第二濾網３１２を備えている。前記第１濾網３１１は、前記収容溝１３２において前記前カバー１４に近い側に設けられ、筐体１０に侵入可能な毛髪や飛毛等の大きな汚れを濾過する。前記第２濾網３１２は、前記収容溝１３２が前記後筐体１２に近い側に設けられている。前記第２濾網３１２は、ＰＭ２．５の濾過、ＴＶＯＣの吸着、滅菌などに用いられる複合型濾網である。前記第２濾網３１２は、ＰＭ２．５を濾過する濾網とＴＶＯＣを吸着する吸着網との複合、ＰＭ２．５を濾過する濾網と殺菌消毒濾過膜との複合等、異なるニーズに応じて選択することができる。
【００３１】
前記ベース１１には、位置決め孔１１１が設けられている。前記導風部材３２は、導風カバー３２１、密封部材３２２、および防護ネット３２３を含む。前記導風カバー３２１には、位置決め柱３２１１が設けられている。前記位置決め柱３２１１は、前記位置決め孔１１１と協働して、前記導風カバー３２１を前記ベース１１に固定する。前記導風カバー３２１は、略渦巻き状の筐体である。前記密封部材３２２は、前記後筐体１２上に設けられている。前記導風カバー３２１は、前記密封部材３２２とともに風路の主要部である導風室３２４を囲んでいる。一実施例では、前記密封部材３２２はシールバーであり、前記導風カバー３２１は前記後筐体１２の部分内壁とともに導風室３２４を囲んでいる。前記導風カバー３２１には、前記導風室３２４と連通する吸気口３２１２及び排気口３２１３が開設されている。前記吸気口３２１２は、前記貫通孔１３１１に対向している。前記防護ネット３２３は、前記導風カバー３２１の排気口３２１３に設けられている。一実施例では、前記防護ネット３２３は鉄網である。前記送風部材３３は、前記導風室３２４に設けられ、前記吸気口３２１２と対向している。
【００３２】
前カバー１４は、前記濾過溝１３１をカバーするように前記濾過溝１３１に設けられている。前カバー１４には、前記濾過溝１３１に対向する吸込み孔１４１が設けられている。前記吸込み孔１４１は、筐体１０に外気を取り込むためのものである。
【００３３】
一実施例では、前記吸込み孔１４１はメッシュ孔であり、外界の大きな不純物が筐体１０へ進入することを防ぐ。
【００３４】
具体的には、前記前カバー１４にはフック１４２がさらに設けられ、前記前筐体１３には係止溝１３４が対向して設けられ、前記フック１４２と係止溝１３４とが係合し、前記前カバー１４を前記前筐体１３に取り外し可能に固定し、前記濾過溝１３１を被せる。
【００３５】
上カバー１５には、前記排気口３２１３に対向する吹出し孔１５１が設けられている。前記吹出し孔１５１は、空気清浄機１００で清浄化された空気が排出する。
【００３６】
一実施例では、前記吹出し孔１５１は、メッシュ孔であり、外界の大きな不純物が筐体１０へ進入することを防止する。
【００３７】
送風部材３３は、駆動体３３１と、ファン３３２とを含む。前記ファン３３２は、枠体３３２１と、複数のファンブレード３３２２と、を含む。前記枠体３３２１は、前記導風室３２４に回動可能に設けられた略円環状の柱体である。複数の前記ファンブレード３３２２は、前記枠体３３２１に周方向に沿って均等に分布されている。前記吸気口３２１２は、前記枠体３３２１の内腔に対向している。前記駆動体３３１は、前記導風カバー３２１に設けられ、前記枠体３３２１を駆動して周方向に回転させる。前記ファン３３２は、前記枠体３３２１の内腔から気流が外側に流れるように回動する。他の実施例において、前記送風部材３３は、他のファン３３２構成であってもよい。
【００３８】
一実施例では、駆動体３３１には、当該駆動体３３１の駆動時の振動を低減させるダンパリングがさらに設けられている（図示せず）。
【００３９】
一実施例では、前記空気清浄機１００の作動時に発生する振動を低減するために、前記ベース１１に足当て（図示せず）がさらに設けられている。
【００４０】
一実施例では、前記筐体１０にセンサ４０がさらに設けられている。前記センサ４０は、空気中の各種汚染物の含有量を検知するためのものである。前記センサ４０は、ＴＶＯＣセンサ、粉塵センサ等を含み得る。
【００４１】
一実施例では、前記筐体１０には、さらに手提げ５０が設けられている。前記手提げ５０は、前記後筐体１２、前筐体１３または上カバー１５に設けることができる。具体的には、前記後筐体１２、前筐体１３または上カバー１５の外側壁面が収容室１６に向いて凹むように形成されていてもよいし、前記後筐体１２、前筐体１３または上カバー１５に取り付け固定される取っ手であってもよい。
【００４２】
作動時には、駆動体３３１がファン３３２を駆動して回転し、導風室３２４内の気体を排気口３２１３を通じて排気し、導風室３２４内に低圧を発生させ、外気が吸込み孔１４１、第１濾網３１１及び第２濾網３１２を通じて吸込み溝１３３に進入し、第１濾網３１１により毛髪、飛毛等の大きな汚れを濾過し、第２濾網３１２により殺菌、ＰＭ２．５粉塵の濾過、ＴＶＯＣの吸収を行う。濾過された清浄空気は、吸込み溝１３３で集められて吸込み孔１４１および吸気口３２１２を通って導風室３２４に進入し、駆動体３３１により駆動されるファン３３２によって、排気口３２１３および吹出し孔１５１を通じて排出され、空気の浄化が完了する。
【００４３】
上記の空気清浄機は、筐体１０に導風部材３２を設け、導風部材３２に送風部材３３を設け、導風部材３２の吸気口３２１２と筐体１０の吸込み孔１４１との間に濾過部材３１を設け、濾過部材３１が浄化機構３０に入る空気を濾過消毒した後、送風部材３３が前記導風部材３２に入る濾過消毒後の気体を前記吸気口３２１２から吸気して前記排気口３２１３から排出することにより、空気の浄化を図り、導風部材３２の設置は、空気清浄機１００の中に入る空気のカイドを高め、構造が簡単で、浄化効率を向上する。
【００４４】
以上の実施例は本願の技術案を説明するためのものであり、本願を制限するものではないし、好ましい実施例を参照して本出願について詳細に説明してきたが、当業者は、本出願の技術的解決策の精神および本質から逸脱することなく、本出願の技術的解決策を修正または同等に置き換えることができることを理解すべきである。
【符号の説明】
【００４５】
１００  空気清浄機
１０  筐体
１１  ベース
１１１  位置決め孔
１２  後筐体
１３  前筐体
１３１  濾過溝
１３１１  貫通孔
１３２  収容溝
１３３  吸込み溝
１３４  係止溝
１４  前カバー
１４１  吸込み孔
１４２  フック
１５  上カバー
１５１  吹出し孔
２０  制御ユニット
３０  浄化機構
３１  濾過部材
３１１  第１濾網
３１２  第２濾網
３２  導風部材
３２１  導風カバー
３２１１  位置決め柱
３２１２  吸気口
３２１３  排気口
３２２  密封部材
３２３  防護ネット
３２４  導風室
３３  送風部材
３３１  駆動体
３３２  ファン
３３２１  枠体
３３２２  ファンブレード
４０  センサ
５０  手提げ
【図１】
0003231070.tif 000003
【図２】
0003231070.tif 000004
【図３】
0003231070.tif 000005